(57)【要約】      （修正有）【課題】各家庭においても生徒の着用品や携行品に容易に取り付けることができ、着用品などに一旦取り付けた後に容易に剥がれ落ちたり、故障したりすることのない識別タグを提供する。【解決手段】識別タグ１０を、柔軟性を有する耐水性樹脂で被覆したフィルム状のＩＣタグ１１と、ＩＣタグ１１の表側を覆うための被覆シート１２aと、被覆シート１２ａにおけるＩＣタグ１１の外縁からはみ出る周縁部の裏側に塗布されたホットメルト接着剤１２ｂとからなる接着用カバー１２とで構成した。この識別タグ１０は、アイロンなどを用いて接着用カバー１２の表側から加熱することにより、接着用カバー１２の裏側に配した接着対象物２０に接着できる。【選択図】図１
2010170378.tif 000002
【特許請求の範囲】
【請求項１】
使用者を識別するための識別情報を格納するためのＩＣチップと、ＩＣチップに格納された識別情報を外部へ発信するためのアンテナとを、柔軟性を有する耐水性樹脂で被覆したフィルム状のＩＣタグと、
ＩＣタグの表側を覆う被覆シートと、被覆シートにおけるＩＣタグの外縁からはみ出る周縁部の裏側に塗布されたホットメルト接着剤とからなる接着用カバーと、
で構成され、接着用カバーの表側から加熱することにより、接着用カバーの裏側に配した接着対象物に接着できるようにしたことを特徴とする識別タグ。
【請求項２】
生徒の登下校の管理又は校内の立ち入り制限箇所への立ち入りを監視するための生徒管理システムであって、
生徒の着用品又は携行品に請求項１記載の識別タグを接着し、ＩＣチップから発信された識別情報を非接触で読み取るためのＩＣタグリーダーを校内の登下校時通過箇所又は立ち入り制限箇所に設置し、ＩＣタグリーダーが読み取った識別情報に基づいて各生徒の登下校状況又は立ち入り制限箇所への立ち入り状況を判断する情報処理装置を所定箇所に設置したことを特徴とする生徒管理システム。
【請求項３】
前記識別タグを各生徒の複数種類の着用品又は携行品に接着した請求項２記載の生徒管理システム。
【請求項４】
前記識別タグを接着する着用品又は携行品が、学生服上衣、学生服下衣、体操服上衣、体操服下衣、水着、ランドセル又は通学用鞄の中から選ばれる少なくとも２種以上である請求項３記載の生徒管理システム。
【発明の詳細な説明】
【技術分野】
【０００１】
本発明は、衣類などにしっかりと固定することのできる識別タグと、該識別タグを利用した生徒管理システムに関する。
【背景技術】
【０００２】
一昔前には、学校は安全な場所と言われていたが、近年には、校内に侵入した不審者が子供に危害を及ぼすような事件が相次ぐなど、学校の安全神話は崩壊しつつある。このような時勢に呼応してか、開門時刻を管理したり、校門や玄関に監視カメラを設置したりなど、校内への不審者の侵入を防止するための何らかの対策を講じている学校は増加傾向にある。また最近は、不審者の侵入防止だけでなく、子供の登下校状況などを学校側で管理して欲しいといった要望が保護者などから出るようになってきており、これを意識したシステムの開発も試みられるようになっている。
【０００３】
例えば、特許文献１には、出入口を通過した児童の識別情報を含む通過情報を受信するステップと、児童と識別情報とを対応付けて記憶するテーブルを参照することによって登下校に関する情報を通知すべき通知対象児童を特定するステップと、通過情報を受信した時刻を通知対象児童に対応付けて記憶するステップと、通知対象児童の通過情報を受信した時刻から所定時間範囲内に通過情報を受信した他の児童を判定するステップと、前記通知対象児童に対応付けられて予め記憶されている連絡先に、通知対象児童が出入口を通過した旨と前記他の児童の情報とを併せて通知するステップとを備えた登下校情報通知システムが記載されている。これにより、通知対象児童の保護者などは、通知対象児童が下校した時刻だけでなく、誰と一緒に下校しているのかについても知ることが可能になる。
【０００４】
しかし、このように生徒の登下校を自動的に管理するシステムは、生徒を識別するための識別情報を格納したＩＣタグなどを生徒の着用品や携行品に取り付ける必要があったため、次のような不具合が生じると予想される。すなわち、ＩＣタグをランドセルなどに取り付けた場合には、生徒がランドセルを持たずに登校したような場合に、その生徒の登下校状況を把握できなるという不具合が生じる。また、ＩＣタグをペンケースなどの小さな携行品に取り付けた場合には、他の生徒のペンケースを取り上げて別の生徒が使用するなどといったケースが想定され、その生徒の登下校状況を正確に把握できなくなるという不具合が生じる。
【０００５】
さらに、ＩＣタグを学生服などの衣類に取り付けた場合には、衣類を洗濯する際にＩＣタグが故障したり、ＩＣタグが衣類から剥がれ落ちたりするケースが想定され、このような場合には、その衣類で生徒の登下校状況を管理できなくなるという不具合が生じる。ＩＣタグが故障したり剥がれ落ちたりすることのないように、ＩＣタグを衣類などにしっかりと固定できればいいのであるが、そのようにするためには、各家庭でＩＣタグを取り付けることが難しくなるなどの不具合が生じる。
【０００６】
各家庭においても生徒の着用品や携行品に容易に取り付けることができ、着用品などに一旦取り付けた後に容易に剥がれ落ちたり、故障したりすることのないＩＣタグがあれば、生徒の登下校状況をより正確に把握することが可能となるのであるが、このようなＩＣタグは実用化されていないのが実状であった。また、生徒が、特定の着用品を着用せずに登下校した場合や、特定の携行品を携行せずに登下校した場合であっても、その生徒の登下校状況を漏らさずに管理することのできる生徒管理システムも見当たらないのが実状であった。
【先行技術文献】
【特許文献】
【０００７】
【特許文献１】特開２００５−０９２３２７号公報
【発明の概要】
【発明が解決しようとする課題】
【０００８】
本発明は、上記課題を解決するために為されたものであり、各家庭においても生徒の着用品や携行品に容易に取り付けることができ、着用品などに一旦取り付けた後に容易に剥がれ落ちたり、故障したりすることのない識別タグを提供するものである。また、この識別タグを用いることにより、生徒が、特定の着用品を着用せずに登下校した場合や、特定の携行品を携行せずに登下校した場合であっても、その生徒の登下校状況を正確に把握することのできる生徒管理システムを提供することも本発明の目的である。さらに、生徒の登下校状況の管理だけでなく、生徒が立ち入り制限区域に立ち入るのを防止することも可能な生徒管理システムを提供することも本発明の目的である。
【課題を解決するための手段】
【０００９】
上記課題は、
使用者を識別するための識別情報を格納するためのＩＣチップと、ＩＣチップに格納された識別情報を外部へ発信するためのアンテナとを、柔軟性を有する耐水性樹脂で被覆したフィルム状のＩＣタグと、
ＩＣタグの表側を覆う被覆シートと、被覆シートにおけるＩＣタグの外縁からはみ出る周縁部の裏側に塗布されたホットメルト接着剤とからなる接着用カバーと、
で構成され、接着用カバーの表側から加熱することにより、接着用カバーの裏側に配した接着対象物に接着できるようにしたことを特徴とする識別タグ
を提供することによって解決される。
【００１０】
これにより、アイロンなどを用いることによって、各家庭においても生徒の着用品や携行品に容易に取り付けることができるにもかかわらず、着用品などに一旦取り付けた後には、洗濯しても容易に剥がれ落ちたり、故障したりすることのない識別タグを提供することが可能になる。また、識別タグを、その接着用カバーの周縁部で接着対象物に縫い付けることなどにより、識別タグが接着対象物からさらに剥がれ落ちにくくすることも可能になる。
【００１１】
また、上記課題は、生徒の登下校の管理又は校内の立ち入り制限箇所への立ち入りを監視するための生徒管理システムであって、生徒の着用品又は携行品に前記識別タグを接着し、ＩＣチップから発信された識別情報を非接触で読み取るためのＩＣタグリーダーを校内の登下校時通過箇所又は立ち入り制限箇所に設置し、ＩＣタグリーダーが読み取った識別情報に基づいて各生徒の登下校状況又は立ち入り制限箇所への立ち入り状況を判断する情報処理装置を所定箇所に設置したことを特徴とする生徒管理システムを提供することによっても解決される。
【００１２】
これにより、生徒の登下校状況をより正確に把握することのできる生徒管理システムを提供することが可能になる。また、生徒の登下校状況の管理だけでなく、生徒が立ち入り制限区域に立ち入るのを防止することも可能になる。
【００１３】
本発明の生徒管理システムにおいて、識別タグは、各生徒の着用品又は携行品に少なくとも１つずつ接着すればよいが、各生徒の複数種類の着用品又は携行品に接着すると好ましい。具体的には、学生服上衣、学生服下衣、体操服上衣、体操服下衣、水着、ランドセル又は通学用鞄の中から選ばれる少なくとも２種以上に前記識別タグを接着すると好ましい。これにより、生徒が、特定の着用品を着用せずに登下校した場合や、特定の携行品を携行せずに登下校した場合であっても、他の着用品や携行品に接着された識別タグによってその生徒の登下校状況などを正確に把握することが可能になる。
【発明の効果】
【００１４】
以上のように、本発明によって、各家庭においても生徒の着用品や携行品に容易に取り付けることができ、着用品などに一旦取り付けた後に容易に剥がれ落ちたり、故障したりすることのない識別タグを提供することが可能になる。また、この識別タグを用いることにより、生徒が、特定の着用品を着用せずに登下校した場合や、特定の携行品を携行せずに登下校した場合であっても、その生徒の登下校状況を正確に把握することのできる生徒管理システムを提供することも可能になる。さらに、生徒の登下校状況の管理だけでなく、生徒が立ち入り制限区域に立ち入るのを防止することも可能な生徒管理システムを提供することも可能になる。
【図面の簡単な説明】
【００１５】
【図１】本発明の識別タグを接着対象物に接着した際における識別タグの周縁部周辺を拡大した状態を示した断面図である。
【図２】本発明の識別タグに使用するＩＣタグを示した斜視図である。
【図３】本発明の識別タグを体操服（接着対象物）に接着した状態を示した正面図である。
【図４】本発明の生徒管理システムを示した説明図である。
【発明を実施するための形態】
【００１６】
以下、本発明の識別タグと、該識別タグを用いた生徒管理システムの好適な実施態様について、図面を用いてより具体的に説明する。
【００１７】
１．識別タグ
まず、識別タグについて説明する。本実施態様の識別タグ１０は、図１に示すように、フィルム状のＩＣタグ１１と、ＩＣタグ１１を接着対象物２０に接着するためのシート状の接着用カバー１２とで構成されている。このうち、ＩＣタグ１１は、図２に示すように、使用者を識別するための識別情報を格納するためのＩＣチップ１１ａと、ＩＣチップ１１ａに格納された識別情報を外部へ発信するためのアンテナ１１ｂと、ＩＣチップ１１ａ及びアンテナ１１ｂを被覆するための耐水性樹脂１１ｃとで形成されている。一方、接着用カバー１２は、図１に示すように、ＩＣタグ１１の全体をその表側から覆うための被覆シート１２ａと、被覆シート１２ａにおけるＩＣタグ１１の外縁からはみ出る周縁部の裏側に塗布されたホットメルト接着剤１２ｂとで形成されている。この識別タグ１０は、アイロンなどを用いて接着用カバー１２の表側から加熱することにより、ホットメルト接着剤１２ａが溶融した後に固まって、接着用カバー１２の裏側に配した接着対象物２０に接着することのできるものとなっている。
【００１８】
本発明の識別タグ１０に用いるＩＣタグ１１の種類は、特に限定されず、いわゆるアクティブ型ＩＣタグ（電源を備え、そのＩＣチップに格納された識別情報を能動的に発信することのできるＩＣタグ）を用いてもよいが、通常、後述するＩＣタグリーダー３０が放つ電波によってアンテナ１１ｂで電磁誘導を起こし、ＩＣチップ１１ａに格納された識別情報をそのアンテナから発信する、いわゆるパッシブ型ＩＣタグであると好ましい。これにより、識別タグ１０には電源を備える必要がないので、電池交換などをしなくても、ＩＣチップ１１ａに格納された識別情報を半永久的に読み取ることが可能になる。また、識別タグ１０を薄くして、衣類などの着用品に取り付けた際の違和感などを軽減することも可能になる。本実施態様の識別タグ１０においても、ＩＣタグ１１としてパッシブ型ＩＣタグを採用している。現在は、短波（ＨＦ）帯用のパッシブ型ＩＣタグであっても、受信範囲が１〜２ｍと比較的長くなってきている。
【００１９】
ＩＣタグ１１を構成する耐水性樹脂１１ｃの種類は、適度な柔軟性を有する樹脂であれば特に限定されない。このような樹脂としては、低密度ポリエチレン、高密度ポリエチレン、エチレン−プロピレン共重合体などのエチレン−α−オレフィン共重合体や、エチレン−酢酸ビニル共重合体、ポリプロピレンなどのオレフィン系重合体や、ポリエチレンテレフタレート、ポリブチレンテレフタレートなどのポリエステルや、ナイロン６、ナイロン６６などのポリアミドのほか、ポリ塩化ビニルやポリウレタンなどを例示することができる。耐水性樹脂１１ｃの厚さは、ＩＣチップ１１ａやアンテナ１１ｂよりも厚ければ、特に限定されないが、柔軟性や耐久性を考慮して、通常、０．５〜１．５ｍｍ程度とされる。また、耐水性樹脂１１ｃの面積は、ＩＣチップ１１ａ及びアンテナ１１ｂを覆うことができるのであれば特に限定されない。小さなもので５ｍｍ角程度、大きなもので５０〜６０ｍｍ角程度と様々である。
【００２０】
被覆シート１２ａの素材は、特に限定されないが、本発明の識別タグ１０を接着する接着対象物２０が、主に衣服であることを考慮すると、通常、ポリエステルやナイロンなどの化学繊維や、或いは面や麻などの天然繊維からなる織物や不織布とされる。ホットメルト接着剤１２ｂは、その種類によって接着しにくいものがあるが、このように、被覆シート１２ａの素材を接着対象物２０と同種のものとすることにより、被覆シート１２ａとホットメルト接着剤１２ｂとの接着強度と、ホットメルト接着剤１２ｂと接着対象物２０との接着強度とを同程度に高めることが可能になる。また、被覆シート１２ａをこのような素材で形成することによって、その表面にマジックなどで学校名や氏名などを記載することもできるので、本発明の識別タグ１０に名札としての機能を付与することも可能になる。被覆シート１２ａには、ＩＣタグ１１を予め接着剤などで接着して位置決めしておくと好ましい（図３を参照）。
【００２１】
被覆シート１２ａの周縁部の裏側に塗布するホットメルト接着剤１２ｂの種類は、被覆シート１２ａや接着対象物２０の素材などによっても異なり、特に限定されない。ホットメルト接着剤１２ｂとしては、ポリウレタン樹脂ホットメルト接着剤、ポリアミド樹脂ホットメルト接着剤、ポリオレフィン樹脂ホットメルト接着剤、エチレン-酢酸ビニル樹脂ホットメルト接着剤などが例示される。本発明の識別タグ１０を接着する接着対象物２０が、主に衣服（ポリエステルやナイロンなどの化学繊維や、或いは面や麻などの天然繊維からなる織物や不織布）であることを考慮すると、通常、ポリウレタン樹脂ホットメルト接着剤や、ポリアミド樹脂ホットメルト接着剤が使用される。これらのなかから、耐洗濯性（目安としては、５０回以上の家庭洗濯に耐えなければならない。）に優れたものを採用する。ホットメルト接着剤１２ｂを塗布する被覆シート１２ａの周縁部の幅は、ＩＣタグ１１の寸法などによっても異なるが、通常、２〜３０ｍｍ程度である。
【００２２】
２．生徒管理システム
次に、本発明の識別タグ１０を用いた生徒管理システムについて説明する。本実施態様の生徒管理システムは、図４に示すように、生徒Ｓの登下校の管理又は校内の立ち入り制限箇所への立ち入りを監視することができるものとなっている。識別タグ１０は、生徒Ｓの着用品や携行品の所定箇所に接着され、そのＩＣチップ１１ａ（図２）に格納された生徒Ｓの識別情報は、校内の登下校時通過箇所（校門や玄関など）や立ち入り制限箇所（貯水タンクや電気設備や屋上の柵外区域など）に設置されたＩＣタグリーダー３０によって非接触で読み取られる。ＩＣタグリーダー３０が読み取った生徒Ｓの識別情報は、有線又は無線によって管理室（職員室など）に設置された情報処理装置４０に送信される。情報処理装置４０は、受信した識別情報に基づいて生徒Ｓの登下校状況や立ち入り制限箇所の立ち入り状況を判断し、モニターなどの出力手段を通じて先生Ｔ（管理者）などに通知する。
【００２３】
管理室の先生Ｔは、情報処理装置４０によって、生徒Ｓの登下校時刻を知ることが可能である。すなわち、登校時間が過ぎても登校していない生徒や、下校時間が過ぎても下校していない生徒を容易に知ることができる。また、生徒Ｓの保護者などから生徒Ｓの登下校時刻について問い合わせがあったような場合にもすぐに答えることが可能になる。さらに、生徒Ｓが立ち入り制限箇所に侵入したことを知ることも可能になる。管理室には、スピーカーやライトなど、情報処理装置４０から離れていても認識できる出力手段を設置して、登下校時間以外に生徒Ｓが登下校時通過箇所を通過した場合や、立ち入り制限箇所に侵入した場合に警報を出力することができるようにしておくと好ましい。これにより、生徒Ｓの身に降りかかる危険を未然に防ぐことが可能になる。
【００２４】
識別タグのＩＣチップ１１ａ（図２を参照）に格納する生徒Ｓの識別情報は、氏名や、識別番号（例えば学年、クラス及び出席番号からなる数字の組）など、情報処理装置４０が生徒Ｓ個人を特定できるものである。後述するように、生徒Ｓの複数種類の着用品や携行品に識別タグ１０を接着して忘れ物の検知を行うような場合には、それが接着された着用品や携行品の種類に関するデータをＩＣチップ１１ａに格納することもできる。生徒Ｓの自宅住所や自宅電話番号や保護者名などは、ＩＣチップ１１ａに格納すると、ＩＣタグリーダーを悪用した学外の第三者に生徒Ｓの個人情報が知られるおそれもあるために、この種の個人情報は情報処理装置４０に格納しておくと好ましい。生徒管理システムの処理の関係上、どうしてもこの種の個人情報をＩＣチップ１１ａに格納するような必要がある場合には、暗号化して情報処理装置４０のみで解読できるようにしておくとよい。
【００２５】
識別タグ１０は、生徒Ｓの複数種類の着用品や携行品に接着されている。具体的には、学生服上衣、学生服下衣、体操服上衣、体操服下衣、水着、ランドセル、通学用鞄、通学帽、運動帽、通学靴、運動靴、上履きなどである。学生服上衣や学生服下衣や体操服上衣や体操服下衣など、生徒Ｓが校内や登下校時に着用する頻度の高いものを中心に識別タグ１０を接着しておく。このように、生徒Ｓの複数種類の着用品や携行品に識別タグ１０を接着することにより、生徒Ｓがどれか１つのものを身につけてさえいれば、ＩＣタグリーダー３０によって生徒Ｓの識別情報を読み取ることが可能になり、生徒Ｓの登下校状況などをより正確に把握することが可能になる。また、情報処理装置４０によって、登校時における生徒Ｓの着用品及び携行品と、下校時における生徒Ｓの着用品及び携行品とを比較して、それが異なるような場合には、ＩＣタグリーダー３０の周辺に設置したスピーカーなどの出力手段（図示省略）により、例えば、「体操服を忘れていませんか。」などの警告メッセージを生徒Ｓに伝えることなども可能になり、忘れ物を防止することもできるようになる。
【００２６】
スピーカーなどの出力手段は、管理室や登下校時通過箇所だけでなく、立ち入り制限箇所にも設置することができる。例えば、立ち入り制限箇所に設置したＩＣタグリーダー３０が生徒Ｓの存在を検知した場合には、その周囲に設置したスピーカー（図示省略）などによって、例えば、「この場所へ入ってはいけません。」などの警告メッセージを生徒Ｓに伝えることなども可能になる。
【００２７】
登下校時通過箇所や立ち入り制限箇所に設置するＩＣタグリーダー３０は、生徒Ｓの着用品や携行品に接着された識別タグ１０から生徒Ｓの識別情報を非接触で受信できるものであれば特に限定されないが、生徒Ｓが走りながら通過したり、複数人がくっつき合って通過したりなどしても読み取れるものであると好ましい。具体的には、短波（ＨＦ）帯用の無線ＩＣタグリーダーや、超短波（ＵＨＦ）帯用の無線ＩＣタグリーダーが挙げられる。受信距離のみを考慮すると、超短波帯用の無線ＩＣタグリーダーが好ましいが、現在、超短波は心臓のペースメーカーの誤作動の原因となる可能性が指摘されていることに加えて、超短波帯用の無線ＩＣタグリーダーは１台で数百万円以上と非常に高価である。このため、本実施態様の生徒管理システムにおいては、短波帯用の無線ＩＣタグリーダーをＩＣタグリーダー３０として採用している。
【符号の説明】
【００２８】
１０    識別タグ
１１    ＩＣタグ
１１ａ  ＩＣチップ
１１ｂ  アンテナ
１１ｃ  耐水性樹脂
１２    接着用カバー
１２ａ  被覆シート
１２ｂ  ホットメルト接着剤
２０    接着対象物
３０    ＩＣタグリーダー
４０    情報処理装置
Ｓ    生徒
Ｔ    先生（管理者）
【図１】
2010170378.tif 000003
【図２】
2010170378.tif 000004
【図３】
2010170378.tif 000005
【図４】
2010170378.tif 000006